(57)【要約】【課題】  位置変化可能な部材を不正に移動する行為を把握しあるいは報知しながら、正当なメンテナンス時に不正行為の報知等をすることがなく、しかも遊技情報の提供も効率良く可能な遊技機管理システムを提供する。【解決手段】  パチンコ機における開閉扉に監視用タグ２０を設け、その近傍の透明板に監視用アンテナ３２を設ける。これらは、開閉扉が閉成位置である場合にのみ非接触の監視用通信が可能となる。また、遊技情報１０４が格納される遊技者カード用タグ５０ａを含む遊技者カード６ａを備える。更に、店員カード用タグ５０ｂを含む店員カード６ｂを備える。そして、監視用通信が不成立であるとその旨を報知するとともに、各カード用タグとの間で非接触の通信を実行し、遊技情報１０４を入出力し、または監視用通信が不成立である旨の報知を停止するＲ／Ｗユニット４２を備える。【選択図】  図８
2005137517.tif 000002
【特許請求の範囲】
【請求項１】
遊技機における、相対位置が変化可能である二つの部材のうち、一方において設けられる監視用タグ、および他方において所定相対位置でのみ監視用タグとの非接触の監視用通信が可能な状態で設けられる監視用アンテナと、
遊技に関する情報である遊技情報が格納される遊技者カード用タグを含む遊技者カードと、
遊技店員に関する情報である店員情報が格納される店員カード用タグを含む店員カードと、
遊技者カードおよび店員カードを受入可能であり、受入れた場合にのみ、遊技者カード用タグまたは店員カード用タグと各特定位置でのみ非接触の遊技者カード用通信または非接触の店員カード用通信が可能となるカード用アンテナを備えたカード保持部材と、
監視用アンテナを制御して監視用タグとの間における監視用通信を実行し、監視用通信が不成立の場合にその旨を報知しまたは記憶する管理手段と
を備えており、
更に、管理手段は、
遊技機から遊技情報を取得し、カード用アンテナを制御して遊技者カード用タグとの間における遊技者カード用通信を実行し、遊技者カード用通信が成立すると、遊技者カード用通信により遊技者カードとの間で遊技情報の入出力を行うとともに、
カード用アンテナを制御して店員カード用タグとの間における店員カード用通信を実行し、店員カード用通信が成立すると、その間またはその後の所定時間、監視用通信が不成立である旨を報知せずまたは記憶しない
ことを特徴とする遊技機管理システム。
【請求項２】
遊技機における、相対位置が変化可能である二つの部材のうち、一方において設けられる監視用タグ、および他方において所定相対位置でのみ監視用タグとの非接触の監視用通信が可能な状態で設けられる監視用アンテナと、
遊技に関する情報である遊技情報が格納される遊技者カード用タグを含む遊技者カードと、
遊技店員に関する情報である店員情報が格納される店員カード用タグを含む店員カードと、
遊技者カードおよび店員カードを受入可能であり、受入れた場合にのみ、遊技者カード用タグまたは店員カード用タグと各特定位置でのみ非接触の遊技者カード用通信または非接触の店員カード用通信が可能となるカード用アンテナを備えたカード保持部材と、
監視用アンテナを制御して監視用タグとの間における監視用通信を実行し、監視用通信が不成立の場合にその旨を報知しまたは記憶する管理手段と
を備えており、
更に、管理手段は、
遊技機から遊技情報を取得し、カード用アンテナを制御して遊技者カード用タグとの間における遊技者カード用通信を実行し、遊技者カード用通信が成立すると、遊技者カード用通信により遊技者カードとの間で遊技情報の入出力を行うとともに、
カード用アンテナを制御して店員カード用タグとの間における店員カード用通信を実行し、店員カード用通信が成立すると、その間またはその後の所定時間、監視用通信を実行しない
ことを特徴とする遊技機管理システム。
【請求項３】
カード用アンテナが、遊技者カード用アンテナと店員カード用アンテナとからなり、
遊技者カード用アンテナと店員カード用アンテナとが、平行でない状態で、カードホルダに設置されている
ことを特徴とする請求項１または請求項２に記載の遊技機管理システム。
【請求項４】
遊技情報が、
遊技機の識別記号と、
図柄変動回数、大当り回数、確率変動回数、または遊技時間のうちの少なくとも一つと
を含むことを特徴とする請求項１ないし請求項３の何れかに記載の遊技機管理システム。
【請求項５】
遊技者カードが、遊技者に関する情報である遊技者情報をも格納可能であり、
遊技者情報を遊技者カードに入力する端末を備えており、
管理手段は、カード用通信が成立すると、カード用通信により遊技者カードとの間で遊技者情報をも入出力する
ことを特徴とする請求項１ないし請求項４の何れかに記載の遊技機管理システム。
【請求項６】
遊技者情報として、遊技者識別記号、遊技者の年齢、または遊技者の性別を含むことを特徴とする請求項５に記載の遊技機管理システム。
【請求項７】
遊技店員に関する情報である店員情報が格納される店員カード用タグを含み、
店員カード用タグが、遊技機側のカードホルダに受入れられることで、カードホルダ内のカード用アンテナと非接触の店員カード用通信可能となり、店員カード用通信によって、店員情報を入出力する
ことを特徴とする店員カード。
【発明の詳細な説明】
【技術分野】
【０００１】
本発明は、パチンコ機やスロットマシーン等の遊技機を管理するシステム、および当該システムにおいて使用可能な店員カードに関する。
【背景技術】
【０００２】
パチンコ機における位置変化可能な部材への不正行為を防止する装置として、以下に示す特許文献１に開示されるものが知られている。特許文献１のものでは、位置変化可能な部材としての開閉扉とこれを開閉するプランジャとの間に連係ロック機構を設けており、ピアノ線により開閉扉をこじ開ける不正行為が防止されるようになっている。
【０００３】
一方、遊技機に関する遊技情報の提供システムとして、以下に示す特許文献２に開示されるものが知られている。特許文献２のものでは、遊技機毎に設けられるカード情報リードライト手段に会員カードが挿入されている間における遊技機の稼働データに基づいて、還元ポイント数が求められ、会員カードに書込まれる。
【０００４】
【特許文献１】特開２００２−３５３３９公報
【特許文献２】特開２００１−９６０３７公報
【発明の開示】
【発明が解決しようとする課題】
【０００５】
特許文献１に係る不正行為防止装置では、連係ロック機構を破壊された場合には不正行為を防止できないし、破壊しようとする等といった未遂の不正行為を把握することができない。また、特許文献１に係る不正行為防止装置では、開閉扉詰りを直す場合等、遊技店員が正当に開閉扉をメンテナンスする場合に不便である。一方、特許文献２に係る遊技情報提供システムでは、カード情報リードライト手段の制御装置を別途設置する必要があるし、会員カードとして磁気テープもしくは数個の接触子とＩＣメモリを含むＩＣカードしか示されておらず、会員カードの差込み機構にうまく挿入する必要がある等、取扱性が良好でない。
【０００６】
そこで、請求項１または請求項２に記載の発明は、位置変化可能な部材を不正に移動する行為を把握しあるいは報知しながら、正当なメンテナンス時に不正行為の報知等をすることがなく、しかも遊技情報の提供も効率良く可能な遊技機管理システムを提供することを目的としたものである。
【０００７】
また、請求項６に記載の発明は、正当なメンテナンス時における不正行為の報知等を停止するための遊技店の店員情報につき、遊技機との間におけるやり取りを簡単に行える店員カードを提供することを目的としたものである。
【課題を解決するための手段】
【０００８】
上記目的を達成するために、請求項１に記載の発明は、遊技機管理システムにおいて、遊技機における、相対位置が変化可能である二つの部材のうち、一方において設けられる監視用タグ、および他方において所定相対位置でのみ監視用タグとの非接触の監視用通信が可能な状態で設けられる監視用アンテナと、遊技に関する情報である遊技情報が格納される遊技者カード用タグを含む遊技者カードと、遊技店員に関する情報である店員情報が格納される店員カード用タグを含む店員カードと、遊技者カードおよび店員カードを受入可能であり、受入れた場合にのみ、遊技者カード用タグまたは店員カード用タグと各特定位置でのみ非接触の遊技者カード用通信または非接触の店員カード用通信が可能となるカード用アンテナを備えたカード保持部材と、監視用アンテナを制御して監視用タグとの間における監視用通信を実行し、監視用通信が不成立の場合にその旨を報知しまたは記憶する管理手段とを備えており、更に、管理手段は、遊技機から遊技情報を取得し、カード用アンテナを制御して遊技者カード用タグとの間における遊技者カード用通信を実行し、遊技者カード用通信が成立すると、遊技者カード用通信により遊技者カードとの間で遊技情報の入出力を行うとともに、カード用アンテナを制御して店員カード用タグとの間における店員カード用通信を実行し、店員カード用通信が成立すると、その間またはその後の所定時間、監視用通信が不成立である旨を報知せずまたは記憶しないことを特徴とするものである。
【０００９】
上記目的を達成するために、請求項２に記載の発明は、遊技機管理システムにおいて、遊技機における、相対位置が変化可能である二つの部材のうち、一方において設けられる監視用タグ、および他方において所定相対位置でのみ監視用タグとの非接触の監視用通信が可能な状態で設けられる監視用アンテナと、遊技に関する情報である遊技情報が格納される遊技者カード用タグを含む遊技者カードと、遊技店員に関する情報である店員情報が格納される店員カード用タグを含む店員カードと、遊技者カードおよび店員カードを受入可能であり、受入れた場合にのみ、遊技者カード用タグまたは店員カード用タグと各特定位置でのみ非接触の遊技者カード用通信または非接触の店員カード用通信が可能となるカード用アンテナを備えたカード保持部材と、監視用アンテナを制御して監視用タグとの間における監視用通信を実行し、監視用通信が不成立の場合にその旨を報知しまたは記憶する管理手段とを備えており、更に、管理手段は、遊技機から遊技情報を取得し、カード用アンテナを制御して遊技者カード用タグとの間における遊技者カード用通信を実行し、遊技者カード用通信が成立すると、遊技者カード用通信により遊技者カードとの間で遊技情報の入出力を行うとともに、カード用アンテナを制御して店員カード用タグとの間における店員カード用通信を実行し、店員カード用通信が成立すると、その間またはその後の所定時間、監視用通信を実行しないことを特徴とするものである。
【００１０】
請求項３に記載の発明は、上記目的に加えて、遊技者カード用通信と店員カード用通信とを明確に分け、処理を円滑にする目的を達成するため、上記発明において、カード用アンテナが、遊技者カード用アンテナと店員カード用アンテナとからなり、遊技者カード用アンテナと店員カード用アンテナとが、平行でない状態で、カードホルダに設置されていることを特徴とする。
【００１１】
請求項４に記載の発明は、上記目的に加えて、有用な情報を分り易く取扱う目的を達成するため、上記発明において、遊技情報は、遊技機の識別記号と、図柄変動回数、大当り回数、確率変動回数、または遊技時間のうちの少なくとも一つとを含むことを特徴とする。
【００１２】
請求項５に記載の発明は、上記目的に加えて、更に情報の有用性を高め、また遊技者カードと遊技者とを正確に対応づける目的を達成するため、上記発明において、遊技者カードは、遊技者に関する情報である遊技者情報を格納可能であり、遊技者情報を遊技者カードに入力する端末を備えており、管理手段は、カード用通信が成立すると、カード用通信により遊技者カードとの間で遊技者情報をも入出力することを特徴とする。
【００１３】
請求項６に記載の発明は、上記目的に加えて、具体的に情報の有用性を高める目的を達成するため、上記発明において、遊技者情報として、遊技者識別記号、遊技者の年齢、または遊技者の性別を含むことを特徴とする。
【００１４】
上記目的を達成するために、請求項７に記載の発明は、店員カードにおいて、遊技店員に関する情報である店員情報が格納される店員カード用タグを含み、店員カード用タグが、遊技機側のカードホルダに受入れられることで、カードホルダ内のカード用アンテナと非接触の店員カード用通信可能となり、店員カード用通信によって、店員情報を入出力することを特徴とするものである。
【００１５】
なお、遊技機における相対位置が変化可能な部材には、一方または他方のみが作動するものと、双方が作動するものが含まれ、また機器により作動されるものの他、メンテナンス等のために人為的に動かされる（外される）もの等が含まれる。
【発明の効果】
【００１６】
本発明によれば、相対位置が変化可能である遊技機の部材に、所定相対位置において非接触通信を繰返し行う監視用タグおよび監視用アンテナを設置し、部材が所定相対位置から動いて監視用通信が成立しなくなったことを管理手段により判定し不正行為を報知等するとともに、カードホルダ、遊技者カード、店員カードに、非接触通信を繰返し行うカード用ＩＣタグおよびカード用アンテナを設置し、遊技者カードがカードホルダに入れられて管理手段による遊技者カード用通信が成立すると、遊技情報や遊技者情報を入出力し、店員カードがカードホルダに入れられて管理手段による店員カード用通信が成立すると、不正行為の報知等を停止する。よって、遊技機の相対位置の変化可能な部位において、所定相対位置から不正に移動する行為を管理できるとともに、有用な情報を提供することができ、更に店員によるメンテナンス時には不正行為の管理を停止して不要な管理を防止することができ、しかもこれら管理や情報提供を効率良く行うことができる、という効果を奏する。
【発明を実施するための最良の形態】
【００１７】
以下、本発明の一実施形態に係るパチンコ機管理システム（管理システム）ないし遊技者カードについて、次に示す目次の順序に従い、適宜図面に基づいて説明する。
（１）管理システムないし店員カードの大要
（２）管理システムないし店員カードの外的側面
（３）管理システムないし店員カードの内的側面
（４）管理システムないし店員カードの動作内容
（５）管理システムないし店員カードの特徴部分の説明
（６）管理システムないし店員カードが奏する効果
（７）主に上記実施形態を変更して成る本発明の別実施形態の例示
【００１８】
（１）管理システムないし店員カードの大要
本発明の実施形態に係る管理システムの管理対象であるパチンコ機は、所定条件を満たした場合（大当り時）に開成する大入賞装置を、遊技盤において有する。大入賞装置は、開閉扉（一方の部材）を前方へ開くことで開成し、上記条件を満たしていない場合は閉成している。大入賞装置は、開成時に入賞してきた遊技球を導く通路と、その通路に設置された遊技球センサを備えている。パチンコ機は、当該遊技球センサにより検出された遊技球毎に所定数の遊技球を遊技者に提供する。
【００１９】
一方、管理システムは、リーダ／ライタユニット（Ｒ／Ｗユニット、監視ユニット）の指令に基づいて監視用通信可能な監視用タグと監視用アンテナとを備えている。監視用タグと監視用アンテナとは、所定の通信距離内（３０ｍｍ程度）において対峙した場合に非接触通信（監視用通信）が可能となる。なお、監視用通信は、ＲＦＩＤ通信（Ｒａｄｉｏ  Ｆｒｅｑｕｅｎｃｙ  ＩＤｅｎｔｉｆｉｃａｔｉｏｎ、識別情報付無線通信）により行われる。
【００２０】
監視用タグと監視用アンテナとは、パチンコ機の開閉扉または遊技盤を覆う透明板（他方の部材）に、開閉扉の閉成時に互いに所定距離で対峙するように設置する。したがって、開閉扉が閉成位置にあり、開閉扉と透明板とが向い合う位置関係（所定相対位置）となると、監視用タグと監視用アンテナとの間で監視用通信が可能となる。なお、監視用タグと監視用アンテナとは、非接触で通信するので、開閉扉の動作を阻害しない。また、Ｒ／Ｗユニットは、パチンコ機の背面側等に設置される。
【００２１】
そして、管理システムは、少なくともどちらかの部材が移動して、監視用タグと監視用アンテナとの相対距離が通信可能距離を超えるかまたは監視用タグと監視用アンテナとが対峙しなくなるかし、監視用通信が不能となった（不成立）か否かを、Ｒ／Ｗユニットにより判定し、所定相対位置からの不正な移動に係る不正行為を監視する。Ｒ／Ｗユニットは、監視用通信が（所定回数）成立しない場合、各パチンコ機と接続されている遊技店の管理コンピュータ（ホールコン）に、不正行為に関する注意信号を出力する。なお、開閉扉が開成して傾いた場合の他、開閉扉が引離された場合や、透明板が遊技枠を覆わなくなった場合（透明板を保持する前枠が開放された場合）も上記ＲＦＩＤ通信が不能となり、監視用通信が不成立と判定される。また、上記条件に基づく大入賞装置の正規開成中である場合には不正行為を出力しないようにすることも可能である。
【００２２】
更に、管理システムのＲ／Ｗユニットは、パチンコ機からの出力線を受入可能な入出力端子を備えており、パチンコ機に係る遊技情報（の一部）を取得することができる。なお、遊技情報は、パチンコ機に関する情報であり、パチンコ機から取得せずＲ／Ｗユニットに記憶しておくこともある。また、遊技情報として、当該パチンコ機の識別記号と、図柄変動回数、大当り回数、確率変動回数、または遊技時間のうちの少なくとも何れかを含む。
【００２３】
パチンコ機は、それぞれ図柄スタート、大当り、確率変動の生起時にパルス信号を発生し、Ｒ／Ｗユニットは、受信したパルス信号をカウントして図柄変動回数、大当り回数、確率変動回数を取得する。また、Ｒ／Ｗユニットは、自身の識別記号を記憶しており、これをパチンコ機の識別記号として用いる。
【００２４】
加えて、管理システムは、遊技者カード用アンテナと店員カード用アンテナとを備えたカードホルダを備えている。カードホルダは、パチンコ機の正面側の脇等に設置される。双方のカード用アンテナは、それぞれＲ／Ｗユニットと接続されている。
【００２５】
一方、管理システムは、遊技情報が格納され、遊技者カード用アンテナと通信（遊技者カード用通信）可能である遊技者カード用タグを収めた遊技者カードを備えている。遊技者カード用通信は、Ｒ／Ｗユニットにより制御され、非接触のＲＦＩＤ通信として行われる。遊技者カードは、遊技店において発行され、発行時には適宜、遊技店における遊技者カード用タグのリードライト装置（端末）により、遊技者の年齢（年齢層を含む）や性別、他の遊技者との識別を目的とする（ここでは遊技者個人の特定まで求めない）遊技者識別記号（遊技者ＩＤ）といった遊技者情報が入力される。
【００２６】
また、管理システムは、店員情報が格納され、店員カード用アンテナと通信（店員カード用通信）可能である店員カード用タグを収めた店員カードを備えている。店員カード用通信は、Ｒ／Ｗユニットにより制御され、非接触のＲＦＩＤ通信として行われる。店員カードは、遊技店において管理され、適宜、遊技店における店員カード用タグのリードライト装置により、店員識別記号（店員ＩＤ）を始めとする店員情報が入力される。店員カードは、店員ＩＤに対応する遊技店員により所持される。
【００２７】
カードホルダは、遊技者カードを起立状態で受入れる遊技者カード受入口と、店員カードを起立状態で受入れる店員カード受入口とを有する。遊技者カード受入口と店員カード受入口とは、ほぼ９０度ずらして設けられる。遊技者カード受入口と遊技者カード用アンテナはほぼ平行になっており、店員カード受入口と店員カード用アンテナはほぼ平行になっている。
【００２８】
カードホルダの遊技者カード受入口に遊技者カードを立てると、遊技者カード用アンテナと遊技者カード用タグとが５ｍｍ以内の距離において対峙し、この場合にのみ遊技者カード用通信が可能となる。なお、Ｒ／Ｗユニットは、遊技者カード用通信が可能となった期間をタイマにより計測し、遊技情報の一つとしての遊技時間を取得する。
【００２９】
そして、管理システムのＲ／Ｗユニットは、遊技者カード用通信が可能となったことを遊技者カード用タグからの返信の受信により把握すると、遊技者カード用通信において、遊技者カードから遊技者情報や遊技情報を取得したり、パチンコ機からの遊技情報を載せたりして、遊技情報の遊技者カードに対する入出力を行う。
【００３０】
一方、カードホルダの店員カード受入口に店員カードを立てると、店員カード用アンテナと店員カード用タグとが５ｍｍ以内の距離において対峙し、この場合にのみ店員カード用通信が可能となる。
【００３１】
Ｒ／Ｗユニットは、店員カード用通信が可能となったことを店員カード用タグからの返信の受信により把握すると、その後数秒間、監視用通信が不成立であっても、店員の作業による前枠ないし開閉扉の開放に基づくものとみなして、不正行為に関する注意信号を出力しないようにする。また、Ｒ／Ｗユニットは、店員カード用通信が可能となった時刻や店員カード用通信に係る店員ＩＤを、パチンコ機の識別記号とともに出力し、店員カードを立てて行われる店員による作業の履歴（作業履歴）を提供可能となっている。
【００３２】
なお、管理システムのＲ／Ｗユニットにつき、遊技者カードに（最後に）出力した遊技情報を、適宜（選択した）遊技者情報や時刻を付与して、ホールコンに出力するようにして良い。また、遊技店に遊技者カード内の遊技情報を用いたグラフ等の情報を表示する情報表示装置を設置し、遊技情報、遊技者情報またはこれに基づく情報を遊技者に提供したり、情報表示装置に入力された遊技情報等をホールコンにおいても（選択的に）受入れたりして良い。更に、ホールコン等において、年齢層や性別、遊技時間等、遊技者情報あるいは遊技情報による（他の）遊技情報あるいは遊技者情報の傾向等を分析するようにして良い。
【００３３】
管理システムは、Ｒ／Ｗユニットにおいて、不正行為検出のための監視用通信と、遊技情報提供のための遊技者カード用通信と、店員によるメンテナンス時に監視用通信またはこれに基づく報知を停止するための店員カード用通信を制御するため、効率良く複数の重要機能を提供することができる。
【００３４】
一方、店員カードは、パチンコ機のカードホルダに受入れられることで、店員カード用タグにおいて店員カード用アンテナとカード用通信可能となり、店員カード用通信において監視用通信またはこれに基づく報知を一時停止するため、開閉扉や前枠の開閉作業における煩雑さをなくし、メンテナンスを極めて行い易くすることができ、またどの店員がいつどのパチンコ機にアクセスしたか等の作業履歴（メンテナンス情報）を記憶することも可能である。
【００３５】
（２）管理システムないし店員カードの外的側面
図１は本発明の実施形態に係る管理システムを搭載したパチンコ機１の正面図であり、図２は図１の中央部の拡大図であり、図３（ａ）は図２のＡ−Ａ線における断面図であり、図４は図１のパチンコ機１の背面図である。パチンコ機１の正面側の上半部には、２枚の透明板２を保持する前枠３が、端縁を軸とした開閉の可能な状態で設けられている。また、パチンコ機１は、正面側の下半部に、遊技球を載せる上皿４および下皿５を有する。
【００３６】
更に、パチンコ機１の正面脇には、図５に示すような、遊技者カード６ａおよび店員カード６ｂを受入れるカードホルダ７が設置されている。カードホルダ７は、少なくとも正面およびこれにほぼ直交する側面の２面を有して形成され、正面両脇には遊技者カード６ａを軽く受止める一対のアーム８ａが設けられており、側面両脇には店員カード６ｂを軽く受止める一対のアーム８ｂが設置されている。また、カードホルダ７は、各カードを載せるベース８ｃを有している。
【００３７】
遊技者カード６ａは、ここでは遊技店から購入して遊技者に所持してもらうものであり、遊技店に設置したリードライト装置によって、遊技者の年齢や性別、遊技者ＩＤといった遊技者情報が購入時に入力される。なお、当該入力は、遊技店員または遊技者が行う。
【００３８】
また、遊技者カード６ａは、パチンコ機１に係る遊技の際に、カードホルダ７のアーム８ａ，８ｃ内に落とすことで、表または裏が遊技者側に向いた起立状態で受入れられる。なお、各アーム８は、遊技者カード６ａの若干の斜行状態（起立状態に含む）での受入を許容し、遊技者は遊技者カード６ａを直立させる必要がない。
【００３９】
一方店員カード６ｂは、遊技者カードと同様に成り、アーム８ｂ，８ｃ内に入れることにより、カードホルダ７の側面において起立状態で受入れられる。店員カード８ｂは遊技店の管理下において遊技店員に所持してもらうものであり、遊技店に設置した共通あるいは独立のリードライト装置によって、店員ＩＤといった店員情報が入力される。
【００４０】
加えて、パチンコ機１は、前枠３の背面側に、図柄始動口９を始めとする各種入賞口、図柄表示装置１０、図示しない釘や風車等を搭載する遊技盤１１を備えている。遊技盤１１の下部には、下辺を軸にして開閉可能な開閉扉１２を有する大入賞装置１４が設置されている。開閉扉１２の開成動作、または前枠３の開放により、開閉扉１２とその前方の透明板２との相対位置が変化する。
【００４１】
また、大入賞装置１４は、開閉扉１２の背面側から下方へ延びる遊技球の通路１６、および、通路１６の内周部に設けられる遊技球センサ１８を備えている。なお、正面側の透明板２の背面であって、大入賞装置１４の正面側を含む下部には、装飾帯１９が備えられていることもある。
【００４２】
加えて、大入賞装置１４における開閉扉１２の正面には、小片状（薄板状、扁平状、長方形状）の監視用タグ２０が貼付されている。図６は監視用タグ２０の正面図である。監視用タグ２０は、いわゆるＩＣタグであって、ポリエステル（合成樹脂）製のフレキシブルなプリント基板２１と、プリント基板２１内に形成された渦巻状の送受信回路２２と、送受信回路２２に電気的に接続されたＩＣチップ２３を有する。
【００４３】
一方、背面側の透明板２の正面上であって、閉成した開閉扉１２における監視用タグ２０に対峙する部分には、図７に示すような、周縁に渦巻状の送受信回路３０を配線した基板３１を主要部とする監視用アンテナ３２が固定されている。監視用アンテナ３２の送受信回路３０には、導線３３が電気的に接続されている。また、監視用アンテナ３２は、基板３１の各角において吸盤３４を備えており、透明板２に吸着することで固定される。なお、装飾帯１９は、遊技盤１１を正面から見た場合において、大入賞装置１４、監視用タグ２０あるいは監視用アンテナ３２を目立たないようにする。
【００４４】
また、パチンコ機１の背面側部には、島設備からの遊技球を上皿４または下皿５へ払出す払出装置３６が設置されている。また、パチンコ機１の背面下部には、パチンコ機１の動作内容を制御する主制御装置３８がカバー付で設置されている。
【００４５】
更に、パチンコ機１の背面中央には、図柄表示装置１０の背面側を覆うセンターカバー４０が設置されており、センターカバー４０の内側には、各種制御素子を搭載した基板であるＲ／Ｗユニット４２が組込まれている。Ｒ／Ｗユニット４２は、監視用アンテナ３２と電気的に接続されている。加えて、払出装置３６の上側には、主制御装置３８と電気的に接続された情報出力基板４４が設置されている。
【００４６】
一方、遊技者カード６ａには、監視用タグ２０と同様に成る遊技者カード用タグ５０ａが埋込まれている。遊技者カード用タグ５０ａは、プリント基板上に、送受信回路５２ａと、ＩＣチップ５３ａを有する。また、店員カード６ｂにも、監視用タグ２０と同様に成る店員カード用タグ５０ｂが埋込まれている。店員カード用タグ５０ｂは、プリント基板上に、送受信回路５２ｂと、ＩＣチップ５３ｂを有する。
【００４７】
更に、カードホルダ７は、吸盤を備えないことを除いて監視用アンテナ３２と同様に成る遊技者カード用アンテナ５５ａと店員カード用アンテナ５５ｂを正面側に内蔵している。遊技者カード用アンテナ５５ａと店員カード用アンテナ５５ｂは、それぞれ送受信回路５６ａ，５６ｂを備えている。遊技者カード用アンテナ５５ａは、送受信回路５６ａが正面側を向いてほぼ直立する状態で内蔵されており、店員カード用アンテナ５５ｂは、送受信回路５６ｂが側面側を向いてほぼ直立する状態で内蔵されている。したがって、カードホルダ７が各カードを受入れている場合には、各カード用タグと対応するカード用アンテナとが所定距離内で対峙し、これらの間で非接触通信（遊技者カード用通信、店員カード用通信）が可能となっている。ここで、各カード用通信は監視用通信と同じ周波数において行われる。
【００４８】
なお、管理システムは、遊技者カード６ａ（遊技者カード用タグ５０ａ）、店員カード６ｂ（店員カード用タグ５０ｂ）、カードホルダ７（遊技者カード用アンテナ５５ａ、店員カード用アンテナ５５ｂ）、監視用タグ２０、監視用アンテナ３２、およびＲ／Ｗユニット４２から成る。
【００４９】
（３）管理システムないし店員カードの内的側面
図８は管理システムのブロック図である。監視用タグ２０は、ＩＣチップ２３内に、管理システム（監視用タグ２０）固有の識別情報（ＩＤ）６０等を格納したＥＥＰＲＯＭ６１を有するとともに、送受信回路２２に電気的に接続されたＲＦ回路６２（無線制御回路、Ｒａｄｉｏ  Ｆｒｅｑｕｅｎｃｙ）を含んでいる。
【００５０】
遊技者カード用タグ５０ａは、監視用タグ２０と同様に成り、ＩＤ６０と同様のＩＤ６５ａ等を格納したＥＥＰＲＯＭ６６ａを有するとともに、送受信回路５６ａに電気的に接続されたＲＦ回路６７ａを有する。一方、店員カード用タグ５０ｂも、監視用タグ２０と同様に成り、ＩＤ６５ｂ等を格納したＥＥＰＲＯＭ６６ｂを有するとともに、送受信回路５６ｂに電気的に接続されたＲＦ回路６７ｂを有する。なお、ＩＤ６５ａ，６５ｂは、各遊技者カード６ａ，各店員カード６ｂ毎に相違するものとされている。
【００５１】
Ｒ／Ｗユニット４２は、監視用タグ２０のものと同様になるＲＦ回路７２と、プログラムを格納するＲＯＭ７４、一時記憶をするＲＡＭ７５、およびＩＤ６０，６５ａ，６５ｂと同様のＩＤ７６，７７ａ，７７ｂ等の各種設定値を保存するＥＥＰＲＯＭ７８と、外部とのインターフェイス８０と、ＲＯＭ７４のプログラムを読出してこれらの制御をするＣＰＵ８２とを有する。
【００５２】
なお、Ｒ／Ｗユニット４２と遊技店の管理コンピュータ（ホールコン）１００とが、インターフェイス８０を介して電気的に接続されている。また、パチンコ機１の主制御装置３８も、インターフェイス８０を介してＲ／Ｗユニット４２と電気的に接続されている。主制御装置３８は、パチンコ機１における大入賞装置１４に係る開閉扉１２付近の図示しないソレノイドや遊技球センサ１８、および払出装置３６と電気的に接続されている。払出装置３６は、主制御装置３８の指令に基づいて、図柄始動口９への遊技球の入賞といった所定の払出条件を満たす毎に、所定数の遊技球を払出す。
【００５３】
パチンコ機１は、主制御装置３８により、遊技球の図柄始動口９への入賞に基づいて、１／３５９といった確率における抽選を実行し、当選と判断して始めて、大入賞装置１４を所定期間または遊技球の所定個数（十個前後）の入賞まで開成する（図３（ｂ））。
【００５４】
なお、抽選やその結果等は、図柄表示装置１０において表示される。抽選は、複数の記号から成る図柄を変動表示することで表示される。変動表示は、記号をスクロール等により次々入替えること（図柄の作動）等で行われる。抽選の結果表示は、当選の場合にのみ所定の図柄を確定表示すること等で行われる（はずれの場合には特定の図柄以外の図柄を確定表示する）。所定の図柄としては、全ての記号が同一であるものを選択することができる。確定表示は、所定時間（２秒等）以上に亘り図柄を停止すること等により行われる。
【００５５】
主制御装置３８は、図柄表示装置１０における表示を直接または間接に制御するとともに、図柄の変動表示の開始に対応して、情報出力基板４４へパルス信号１０１を送信する。また同様に、主制御装置３８は、所定の図柄に係る確定表示に対応して、パルス信号１０１を出力する。
【００５６】
情報出力基板４４とホールコン１００とは電気的に接続されており、情報出力基板４４からパルス信号１０１を受信し、パターン毎に受信数をカウントすることで、図柄の変動表示開始回数（図柄の作動回数、図柄変動回数）１０２、所定の図柄に係る確定表示回数（大当り回数）１０３を遊技情報１０４として取得可能である。
【００５７】
また、Ｒ／Ｗユニット４２のインターフェイス８０と情報出力基板４４とが電気的に接続されており、Ｒ／Ｗユニット４２も同様にパルス信号１０１を受信可能である。Ｒ／Ｗユニット４２のＣＰＵ８２は、パルス信号１０１を受信すると、同様にカウントを行って遊技情報１０３を取得し、ＲＡＭ７５ないしはＥＥＰＲＯＭ７８に記憶する。
【００５８】
更に、主制御装置３８は、大入賞装置１４の開成にあたり、開閉扉１２の近傍に設けたソレノイドに電圧を付与し、開閉扉１２を開けるとともに、情報出力基板４４を介してＲ／Ｗユニット４２へパルス信号１０１（開成信号）を送信する。一方、主制御装置３８は、所定期間後における大入賞装置１４の閉成にあたり、上記ソレノイドへの電圧付与を停止し、開閉扉１２を閉めて遊技球センサ１８を閉塞するとともに、Ｒ／Ｗユニット４２へパルス信号１０１（閉成信号）を同様に送信する。
【００５９】
加えて、主制御装置３８は、大入賞装置１４の遊技球センサ１８から検知信号を受信すると、払出条件が満たされたものとして、所定個数（十数個）の遊技球の払出を払出装置３６に指令する。通常、大入賞装置１４の開成時のみにおいて、遊技球が開閉扉１２を経て通路１６を通過し、遊技球センサ１８に検知される。
【００６０】
なお、パチンコ機１においては、大入賞装置１４内の特定のゾーンを遊技球が通過したことを検知して、再び大入賞装置１４を開成し、所定上限内（数回から十数回）においてこれを繰返す（特別遊技状態、大当り状態）。パチンコ機１は、特別遊技状態を生起することで、他の状態に比較して多数の遊技球の払出を提供でき、特別遊技状態は遊技者にとって有利となる。
【００６１】
また、抽選に当選して大入賞装置１４が開成するので、開閉扉１２の通常あるべき位置は閉成状態におけるものとなる。
【００６２】
なお、主制御装置３８は、更なる抽選において当選と判断された場合に、この当選に係る大当り状態後の大当りに係る抽選において、その確率を上昇すること（確率変動）も行う。主制御装置３８は、確率変動回数１１６についても、パルス信号１０１の出力が可能である。Ｒ／Ｗユニット４２は、確率変動回数１１６も同様に取得可能である。
【００６３】
他方、監視用タグ２０のＲＦ回路６２は、送受信回路２２、監視用アンテナ３２の送受信回路３０を介して、Ｒ／Ｗユニット４２のＲＦ回路７２とＲＦＩＤ通信を行う。ＲＦ回路６２は、所定の無線信号（監視用呼出波１２２）を送受信回路２２において受信すると、ＥＥＰＲＯＭ６１において記憶しているＩＤ６０を含む監視用反射波１２４を、ＩＣチップ２３を介して作成し、送受信回路２２から無線信号として送信する。
【００６４】
監視用アンテナ３２の導線３３は、Ｒ／Ｗユニット４２へ延びて、ＲＦ回路７２に接続される。監視用アンテナ３２の送受信回路３０が所定の無線信号（監視用反射波１２４）を受け、これが導線３３における有線信号（監視用反射信号１２５）となってＲ／Ｗユニット４２に達すると、ＲＦ回路７２は、ＣＰＵ８２を介してＥＥＰＲＯＭ７８において記憶しているＩＤ７６を含む監視用呼出信号１２６を作成し、導線３３を介して監視用アンテナ３２へ送信する。監視用アンテナ３２は、監視用呼出信号１２６を受信すると、送受信回路３０において監視用呼出波１２２を発生する。
【００６５】
Ｒ／Ｗユニット４２のＣＰＵ８２は、電源投入直後に、ＲＦ回路７２を通じて監視用呼出信号１２６を監視用アンテナ３２に送信する。また、ＣＰＵ８２は、監視用呼出信号１２６の送信後、所定時間（数十ミリ秒）以内に、ＲＦ回路７２における監視用反射信号１２５の受信があると、監視用反射信号１２５内のＩＤ６０とＥＥＰＲＯＭ７８内のＩＤ７６とを比較し、一致すれば再び監視用呼出信号１２６の送信を行う。そして、ＣＰＵ８２は、通常、このような動作を繰返す。
【００６６】
なお、監視用タグ２０が監視用呼出波１２２を受信でき、あるいは監視用アンテナ３２が監視用反射波１２４を受信できるのは、監視用アンテナ３２と監視用タグ２０とが所定距離内で対峙している場合のみであり、開閉扉１２が通常あるべき位置である閉成位置にあり、かつ前枠３が閉じられている場合のみである。したがって、閉じている前枠３における透明板２に対する、開閉扉１２の閉成位置が、監視用通信可能な所定相対位置として設定されている。
【００６７】
一方、Ｒ／Ｗユニット４２のＣＰＵ８２は、ＲＦ回路７２における監視用反射信号１２５の受信が所定時間内になされておらず、監視用通信が成立していないことを判定した場合、インターフェイス８０を介してホールコン１００に警戒信号１３０を送信する。ただし、閉成信号に対応しない開成信号を受信しているときは、警戒信号１３０を送信しない。
【００６８】
ＣＰＵ８２は、開成信号を受信した場合に、ＲＡＭ７５内の専用のフラグをＯＮとし、閉成信号を受信した場合に、当該フラグをＯＦＦとし、警戒信号１３０の送信の判断に利用する。また、ＣＰＵ８２がＩＤ６０とＩＤ７６とが不一致であると判断すると、この場合も通信不成立と判定して、その時点で警戒信号１３０を送信する。
【００６９】
ホールコン１００は、警戒信号１３０を受信すると、適宜その受信時刻や発信元（の識別記号）とともに受信の旨を記憶する。また、ホールコン１００は、正規の抽選における当選に基づかない大入賞装置１４の開成が（発信元において）行われた旨のメッセージを表示する。
【００７０】
なお、Ｒ／Ｗユニット４２は、パチンコ機１に係る島設備から電源を得る。監視用タグ２０は、監視用呼出波１２２に含まれた搬送波部分をＲＦ回路６２において整流することで、直流電圧を得ることができ、これによって動作可能である。監視用アンテナ３２は、送受信回路３２において、無線信号から有線信号またはこの逆の変換をするものであり、これ自体の電源は不要である。  
【００７１】
また、監視用呼出波１２２や監視用反射波１２４は、信号を十分に保持した状態での搬送距離が３０ｍｍ以内となるように搬送波ないし出力等を調整されている。監視用呼出波１２２や監視用反射波１２４は、例えば１３．５６ＭＨｚといった周波数においてＲＦ送受信される。更に、監視用呼出波１２２や監視用反射波１２４は、指向性を有する。
【００７２】
一方、遊技者カード用タグ５０ａは、監視用タグ２０と同様に、ＩＤ６５ａ，７７ａ、遊技者カード用呼出波１４２ａ、遊技者カード用反射波１４４ａ、遊技者カード用反射信号１４５ａ、遊技者カード用呼出信号１４６ａによって非接触通信をする。Ｒ／Ｗユニット４２のＣＰＵ８２は、ＲＦ回路７２を介して、遊技者カード用アンテナ５５ａから遊技者カード用呼出波１４２ａを所定態様（例えば監視用呼出波１２２と同様の短時間毎）で送出する。
【００７３】
遊技者カード６ａがカードホルダ７の正面側において受入れられていると、遊技者カード用タグ５０ａが、送受信回路５６ａやＲＦ回路６２ａを介して遊技者カード用呼出波１４２ａを受信可能である。遊技者カード用呼出波１４２ａを受信した遊技者カード用タグ５０ａは、ＩＤ６５ａや遊技者情報１４８ａを含むカード用反射波１４４ａを送出する。
【００７４】
カードホルダ７は、正面側において遊技者カード６ａを受入れていれば、遊技者カード用アンテナ５５ａにおいて遊技者カード用反射波１４４ａを受信可能である。遊技者カード用反射波１４４ａを受信した遊技者カード用アンテナ５５ａは、これを遊技者カード用反射信号１４５ａとしてＲ／Ｗユニット４２のＲＦ回路７２に伝え、ＣＰＵ８２がこれを把握する。
【００７５】
Ｒ／Ｗユニット４２のＣＰＵ８２は、遊技者カード用反射信号１４５ａの受信を把握すると、ＩＤ６５ａ，７７ａの比較をし、一致していれば遊技者カード用通信が成立したものとして、遊技者情報１４８ａをＥＥＰＲＯＭ７８に格納する。
【００７６】
ここで、ＩＤ６５ａは、各遊技者カード６ａにおいてそれぞれ相違するものである。また、ホールコン１００は、遊技者情報１４８ａにおける遊技者ＩＤと、これを含む遊技者カード６ａの有するＩＤ７７ａとを対応付けた表（ＩＤテーブル１４９ａ）を記憶している。そして、Ｒ／Ｗユニット４２は、遊技者ＩＤを含む遊技者カード用反射信号１４５ａの受信把握時に、この遊技者ＩＤを、インターフェイス８０を介してホールコン１００に通知し、ホールコン１００は、ＩＤテーブル１４９ａを参照し、対応するＩＤ７７ａを、Ｒ／Ｗユニット４２のインターフェイス８０へ送信する。Ｒ／Ｗユニット４２のＣＰＵ８２は、インターフェイス８０において受信したホールコン１００（ＩＤテーブル１４９ａ）からのＩＤ７７ａと、遊技者カード６ａ（遊技者情報１４８ａ）からのＩＤ６５ａとを比較する。
【００７７】
また、ＣＰＵ８２は、遊技者カード用通信が所定態様で成立すると（例えば５秒間の成立）、ＥＥＰＲＯＭ７８における遊技情報１０４、即ち図柄変動回数１０２、大当り回数１０３、確率変動回数１１６等を参照し、これらを次に送出する遊技者カード用呼出信号１４６ａに含める。遊技情報１０４を含む遊技者カード用呼出信号１４６ａは、遊技者カード用呼出波１４２ａとして、遊技者カード用アンテナ５５ａの送受信回路５６ａから送出される。
【００７８】
遊技情報１０４が含まれる遊技者カード用呼出波１４２ａを、送受信回路５２を介して受信した遊技者カード６ａのＲＦ回路６７ａは、遊技情報１０４をＥＥＰＲＯＭ６６ａにおいて記憶する。
【００７９】
なお、Ｒ／Ｗユニット４２のＣＰＵ８２は、ＩＤ６５ａ，７７ａが不一致であると、遊技情報１０４を含まない遊技者カード用呼出信号１４６ａを作成し、遊技情報１０４をやりとりしないものの、遊技者カード用通信を続けるようにする。
【００８０】
Ｒ／Ｗユニット４２のＣＰＵ８２は、同一のＩＤ６５ａ，７７ａに係る通信が続く限り、以上を繰返す。パチンコ機１の主制御装置３８がパルス信号１０１を出力した場合には、Ｒ／Ｗユニット４２のＥＥＰＲＯＭ７８における遊技情報１０４が更新され、この直後のカード用呼出波１４２ａの生成時には更新された遊技情報１０４が参照されるから、遊技者カード６ａのＥＥＰＲＯＭ６６ａにおいても遊技情報１０４が更新される。
【００８１】
また、Ｒ／Ｗユニット４２は、ＥＥＰＲＯＭ７８内において、自身あるいはパチンコ機１の識別記号１４９（ここではパチンコ機１の島設備における台番号）を遊技情報１０４として格納している。Ｒ／Ｗユニット４２のＣＰＵ８２は、識別記号１４９をも、カード用呼出波１４２ａに含め、遊技者カード６ａのＥＥＰＲＯＭ６６ａにおいて記憶させるようにする。なお、識別記号１４９は、管理システムの納品時等において、Ｒ／Ｗユニット４２に入力する。
【００８２】
更に、Ｒ／Ｗユニット４２のＣＰＵ８２は、パチンコ機１の電源投入後または所定回数（例えば１２回）遊技者カード用反射信号１４５ａを受信しなかった後において最初に遊技者カード用反射信号１４５ａを受信した場合には、ＲＡＭ７５においてタイマ１５０を設定し、以後所定態様で増加していく（例えば０．１秒毎にその値を足す）。そして、所定態様（例えば１秒毎）にＥＥＰＲＯＭ７８にタイマ１５０の値を遊技情報１０４（遊技時間１５２）として書込む。遊技時間１５２も、カード用呼出波１４２ａに載せられ、遊技者カード６ａのＥＥＰＲＯＭ６６ａにおいて記憶される。
【００８３】
なお、この場合に、ＥＥＰＲＯＭ７８ないしは遊技者カード６ａのＥＥＰＲＯＭ６６ａにおける遊技情報１０４の一組（ブロック）を設定し、所定回数（例えば１２回）遊技者カード用反射信号１４５ａを受信しなくなるまで同一ブロックに対して遊技情報１０４を上書きし、更新することとする。ここで、ブロックにおいては、パチンコ機１の識別記号１４９を必須情報として位置づけ、これに他の遊技情報１０４が付随するものと位置づける。
【００８４】
また、Ｒ／Ｗユニット４２のＣＰＵ８２は、遊技者カード用反射信号１４５ａに含まれる遊技者情報１４８ａを、ＥＥＰＲＯＭ７８において記憶する。更に、ＣＰＵ８２は、ＥＥＰＲＯＭ７８内の遊技情報１０４のブロックと遊技者情報１４８ａとを、特定態様（例えば６０秒毎）でホールコン１００へ送信する。ホールコン１００は、遊技店員等の操作に基づき、年齢層や性別等の遊技者情報１４８ａに応じた遊技情報１０４を、グラフ等の形式で表示する。
【００８５】
他方、店員カード用タグ５０ｂは、遊技者カード用タグ５０ａと同様に、ＩＤ６５ｂ，７７ｂ、店員カード用呼出波１４２ｂ、店員カード用反射波１４４ｂ、店員カード用反射信号１４５ｂ、店員カード用呼出信号１４６ｂによって非接触通信をする。Ｒ／Ｗユニット４２のＣＰＵ８２は、ＲＦ回路７２を介して、店員カード用アンテナ５５ｂから店員カード用呼出波１４２ｂを所定態様（例えば監視用呼出波１２２と同様の短時間毎）で送出する。
【００８６】
店員カード６ｂがカードホルダ７の側面側において受入れられていると、店員カード用タグ５０ｂが、送受信回路５６ｂやＲＦ回路６２ｂを介して店員カード用呼出波１４２ｂを受信可能である。店員カード用呼出波１４２ｂを受信した店員カード用タグ５０ｂは、ＩＤ６５ｂや店員情報１４８ｂを含むカード用反射波１４４ｂを送出する。
【００８７】
カードホルダ７は、側面側において店員カード６ｂを受入れていれば、店員カード用アンテナ５５ｂにおいて店員カード用反射波１４４ｂを受信可能である。店員カード用反射波１４４ｂを受信した店員カード用アンテナ５５ｂは、これを店員カード用反射信号１４５ｂとしてＲ／Ｗユニット４２のＲＦ回路７２に伝え、ＣＰＵ８２がこれを把握する。
【００８８】
Ｒ／Ｗユニット４２のＣＰＵ８２は、店員カード用反射信号１４５ｂの受信を把握すると、ＩＤ６５ｂ，７７ｂの比較をし、一致していれば店員カード用通信が成立したものとして、店員情報１４８ｂおよび時刻をＥＥＰＲＯＭ７８に格納する。なお、ＩＤ７７ｂは、ホールコン１００のＩＤテーブル１４９ｂから得られる。ＩＤテーブル１４９ｂは、店員ＩＤと、これを有する店員カード６ｂが保有するべきＩＤ７７ｂとを対応付けたものである。
【００８９】
また、ＣＰＵ８２は、店員カード用通信が成立すると、その後数秒間（例えば５秒間）に亘り、大入賞装置１４の開閉扉１２や前枠３を開放する等の作業によって、監視用通信が不成立となっても、インターフェイス８０を介してホールコン１００に警戒信号１３０を送信せずに、店員作業信号１３１を送信するようにする。ＣＰＵ８２は、店員作業信号１３１に、成立している店員カード用通信に係る店員情報１４８ｂを含ませる。
【００９０】
ホールコン１００は、店員作業信号１３１を受信すると、適宜その受信時刻や発信元（の識別記号）とともに受信の旨や店員情報１４８ｂを記憶するが、不正が行われたとする旨のメッセージの表示はしない。
【００９１】
Ｒ／Ｗユニット４２のＣＰＵ８２は、同一のＩＤ６５ｂ，７７ｂに係る通信が成立する限り、その後数秒間における警戒信号１３０の送信停止処理を続ける。なお、Ｒ／Ｗユニット４２のＣＰＵ８２は、ＩＤ６５ｂ，７７ｂが不一致であっても、店員カード用通信や店員情報１４８ｂの記憶処理等は（店員カード用通信が不成立とみなしながらも）続けるようにする。
【００９２】
また、ＣＰＵ８２は、店員カード用通信が成立すると、その時刻と、店員カード用通信における店員情報１４８ｂから抽出した店員ＩＤとを把握し、作業履歴（メンテナンス情報）１６０として一旦ＥＥＰＲＯＭ７８に記憶する。そして、ＣＰＵ８２は、作業履歴１６０を、インターフェイス８０経由でホールコン１００に送信する。ホールコン１００は、作業履歴１６０を受信すると、これを保存し、また操作に応じ表示する。
【００９３】
（４）管理システムないし店員カードの動作内容
Ｒ／Ｗユニット４２は、パチンコ機１の状態に関わらず、監視用アンテナ３２から監視用呼出波１２２を送信させる。監視用タグ２０は、監視用呼出波１２２を受信すると、すぐに、ＩＤ６０付の監視用反射波１２４を送信する。監視用アンテナ３２がこの監視用反射波１２４を受信して監視用反射信号１２５を発生し、Ｒ／Ｗユニット４２が所定時間以内において監視用反射信号１２５を受信すると、ＩＤ６０とＩＤ７６とを比較し、一致していればすぐに監視用呼出波１２２の送信を指令する、といった制御を常時（あるいは所定時）行っている。
【００９４】
開閉扉１２と透明板２とが所定相対位置にあれば、監視用タグ２０や監視用アンテナ３２は通信可能距離内においてほぼ平行に対峙しており、指向性を有する監視用呼出波１２２や監視用反射波１２４は監視用タグ２０や監視用アンテナ３２に受信され、監視用タグ２０−監視用アンテナ３２間のＲＦ送受信が短時間毎に周期的に行われる。
【００９５】
一方、大入賞装置１４が開成していると、図３（ｂ）に示すように監視用タグ２０が下に向き、監視用タグ２０と監視用アンテナ３２とがほぼ平行に対峙しなくなって所定相対位置を脱するので、指向性のある監視用呼出波１２２が監視用タグ２０において受信されず、あるいは指向性のある監視用反射波１２４が監視用アンテナ３２において受信されない。よって、Ｒ／Ｗユニット４２は、所定時間内に監視用反射波１２４に係る監視用反射信号１２５を受信できない。
【００９６】
また、前枠３が開放された場合も、透明板２が開閉扉１２から離れて通信可能距離を超えるから、Ｒ／Ｗユニット４２は、所定時間内に監視用反射信号１２５を受信できない。
【００９７】
Ｒ／Ｗユニット４２は、監視用反射信号１２５を受信できない場合、開成信号等に係るフラグを参照し、フラグがＯＮであれば、警戒信号１３０の送信処理を行わない。当該フラグは、特別遊技状態の生起（パチンコ機１の抽選処理）に基づく大入賞装置１４の開成中にＯＮとなるので、正規の大入賞装置１４の開成（正規の相対位置変化、正規の移動）に対し、警戒信号１３０を送信することがない。
【００９８】
一方、更にフラグがＯＦＦであった場合には、主制御装置３８から大入賞装置１４の開成指令がなかったにも関わらず、監視用タグ２０と監視用アンテナ３２とが監視用呼出波１２２や監視用反射波１２４を送受信できない関係になったことになる。送受信不能の関係となるには、図３（ｂ）のように開閉扉１２が開いて監視用タグ２０と監視用アンテナ３２とが対峙しなくなるか、監視用タグ２０が監視用アンテナ３２から離されるか（開閉扉１２と透明板２が所定相対位置にない状態）が必要になるから、この場合には、パチンコ機１の抽選に基づかずに、不正に大入賞装置１４が開成されたか、不正に前枠３が開放された可能性が高い。なお、監視用アンテナ３２は、各透明板２の間に設置されるため、アクセスしづらく、不用意に大入賞装置１４周辺から離されることはない。
【００９９】
この場合、Ｒ／Ｗユニット４２は、ホールコン１００に対して警戒信号１３０を送信する。これを受信したホールコン１００は、警戒すべき旨の出力を行う。したがって、不正遊技者が、不正に遊技球の払出を得ようとして、大入賞装置１４をこじ開けたり、前枠３を開放したりする不正行為をすると、すぐさまこれに対応することができる。
【０１００】
他方、Ｒ／Ｗユニット４２は、監視用反射波１２４に係る監視用反射信号１２５を受信できたとしても、その内のＩＤ６０がＩＤ７６と異なると、開成信号１１０等に係るフラグに関わらず、警戒信号１３０を送信し、注意を促す。ＩＤ６０，７６の相違する場合は、ＩＤ６０，７６の不正書換かまたは監視用タグ２０またはＲ／Ｗユニット４２の不正交換（不正改造）がなされた場合に対応する可能性が高く、この場合について注意喚起の表示等がされる。なお、これら不正改造は、不正遊技者により、遊技球センサ１８の閉塞を検知されずに解除する目的で行われる。またこの場合、ＩＤ６０，７６は相違しても送受信はできているので、Ｒ／Ｗユニット４２は当該送受信を継続する。
【０１０１】
また、Ｒ／Ｗユニット４２は、パチンコ機１の状態に関わらず、遊技者カード用アンテナ５５ａから遊技者カード用呼出波１４２ａを送信させる。遊技者カード用タグ５０ａは、遊技者カード用呼出波１４２ａを受信すると、すぐにＩＤ６５ａ付の遊技者カード用反射波１４４ａを送信する。
【０１０２】
遊技者カード用アンテナ５５ａがこの遊技者カード用反射波１４４ａを受信して遊技者カード用反射信号１４５ａを発生し、Ｒ／Ｗユニット４２が所定時間以内において遊技者カード用反射信号１４５ａを受信すると、ＣＰＵ８２が遊技者カード用反射信号１４５ａから遊技者ＩＤを抽出し、ホールコン１００へ送信する。ホールコン１００は、ＩＤテーブル１４９ａを参照し、受信した遊技者ＩＤに対応するＩＤ７７ａを送信する。ＩＤ７７ａの受信を把握したＣＰＵ８２は、ＩＤ６５ａ，７７ａとを比較し、一致していれば、遊技者カード用通信が成立したものと判定して、遊技情報１０４を含むカード用呼出信号１４６ａを作成し、遊技者カード用呼出波１４２ａの送信を指令する。
【０１０３】
識別記号１４９等の遊技情報１０４が含まれたカード用呼出波１４２ａを受信した遊技者カード用タグ５０ａのＲＦ回路６７ａは、遊技情報１０４をＥＥＰＲＯＭ６６ａのブロックに格納する。
【０１０４】
更に、Ｒ／Ｗユニット４２は、パチンコ機１の状態に関わらず、店員カード用アンテナ５５ｂから店員カード用呼出波１４２ｂを送信させる。店員カード用タグ５０ｂは、店員カード用呼出波１４２ｂを受信すると、すぐにＩＤ６５ｂ付の店員カード用反射波１４４ｂを送信する。
【０１０５】
店員カード用アンテナ５５ｂがこの店員カード用反射波１４４ｂを受信して店員カード用反射信号１４５ｂを発生し、Ｒ／Ｗユニット４２が所定時間以内においてカード用反射信号１４５ｂを受信すると、カード用反射信号１４５ｂにおけるＩＤ６５ｂとホールコン１００のＩＤテーブル１４９ｂから得たＩＤ７７ｂとを比較し、一致していれば、店員カード用通信が成立したものと判定して、ホールコン１００に警戒信号１３０を送るための条件が整ったとしても、警戒信号１３０を送信しない。したがってこの場合、ホールコン１００を介した監視用通信不成立の旨の報知がなされず、店員による開閉扉１２の正規メンテナンス時にまで不正行為の疑いの報知をしてしまわない。
【０１０６】
ただし、店員カード用通信が成立しており、かつ警戒信号１３０を送るための条件が整った場合、警戒信号１３０の代りに店員作業信号１３１を送る。ホールコン１００は、店員作業信号１３１の受信に基づいて、適宜、監視用通信不成立の旨、店員情報１４８ｂないしその記憶時刻、これらの（うち何れかの）受信時刻等を記憶する。
【０１０７】
加えて、Ｒ／Ｗユニット４２は、店員カード用通信が成立すると、作業履歴１６０を取得し、ホールコン１００へ出力する。ホールコン１００は、作業履歴１６０を得ると、後に参照するためにこれを保持する。
【０１０８】
（５）管理システムないし店員カードの特徴部分の説明
即ち、本発明の管理システムにおいては、パチンコ機１における相対位置が変化可能である背面側の透明板２または開閉扉１２のうち、開閉扉１２においては監視用タグ２０が設けられ、また透明板２においては監視用タグ２０と非接触の監視用通信が相対峙する相対位置でのみ可能な状態で設けられる監視用アンテナ３２が設置される。
【０１０９】
また、本発明の管理システムは、図柄変動回数１０２、大当り回数１０３、確率変動回数１１６、パチンコ機１の識別記号１４９、遊技時間１５２といった遊技情報１０４が格納される遊技者カード用タグ５０ａを含む遊技者カード６ａを備える。
【０１１０】
更に、本発明の管理システムは、店員情報１４８ｂが格納される店員カード用タグ５０ｂを含む店員カード６ｂを備える。
【０１１１】
また更に、本発明の管理システムは、遊技者カード６ａおよび店員カード６ｂを受入可能なカードホルダ７を備えている。カードホルダ７は、遊技者カード６ａを受入れた場合にのみ、遊技者カード用タグ５０ａとの間において非接触の遊技者カード用通信が可能となる遊技者カード用アンテナ５５ａを備えている。また、カードホルダ７は、店員カード６ｂを受入れた場合にのみ、店員カード用タグ５０ｂとの間において非接触の店員カード用通信が可能となる店員カード用アンテナ５５ｂを備えている。
【０１１２】
加えて、本発明の管理システムは、監視用アンテナ３２を制御して監視用タグ２０との間における監視用通信を実行し、監視用通信が成立しているか判定するＲ／Ｗユニット４２を備えている。Ｒ／Ｗユニット４２は、パチンコ機１から、図柄変動回数１０２、大当り回数１０３、確率変動回数１１６といった遊技情報１０４を取得する。
【０１１３】
また、Ｒ／Ｗユニット４２は、遊技者カード用アンテナ５５ａを制御して遊技者カード用タグ５０ａとの間における遊技者カード用通信を実行し、遊技者カード用通信が成立すると、遊技者カード用通信により、遊技者カード６ａとの間で、識別記号１４９および遊技時間１５２をも含む遊技情報１０４についての入力または出力を行う。
【０１１４】
更に、Ｒ／Ｗユニット４２は、店員カード用アンテナ５６ｂを制御して店員カード用タグ５０ｂとの間における店員カード用通信を実行し、店員カード用通信が成立すると、その後数秒間、警戒信号１３０を発信せず、監視用通信が不成立である旨を報知しない（店員作業信号１３１により記憶はする）。
【０１１５】
一方、本発明の店員カード６ｂは、遊技店員に関する情報である店員情報１４８ｂが格納される店員カード用タグ５０ｂを含み、店員カード用タグ５０ｂが、パチンコ機１側のカードホルダ７に受入れられることで、カードホルダ７内の店員カード用アンテナ５６ｂと非接触の店員カード用通信可能となり、店員カード用通信によって、店員情報１４８ｂを入出力するものである。
【０１１６】
（６）管理システムないし店員カードが奏する効果
以上の管理システムでは、上記のような特徴を備え、特に監視用タグ２０と監視用アンテナ３２とが所定相対位置関係をとらなくなり、監視用通信が成立しないと、Ｒ／Ｗユニット４２がこれを判定し、ホールコン１００に警戒信号１３０を送信するため、大入賞装置１４の開閉扉１２が不正に通常あるべき位置から動かされたり、前枠３が不正に開放されたりすることに対して、その時点以降において的確に遊技店員等に注意を促すことができる。
【０１１７】
また特に、監視用タグ２０と監視用アンテナ３２とがＲＦ通信を行なうために設置箇所が限定されないし、常に通信を繰返し行うために不正行為をリアルタイムで確実に監視することができる。更に、ＲＦＩＤ通信の不成立によって閉塞の解除を電気的に検知するため、取付精度等に依らず信頼性の高い監視を行うことができるし、ＩＤ通信によりＩＤが不一致であっても通信不成立とするために、正規の監視用タグ２０を不正に製造元から入手したもの等に張替える不正行為や、監視用タグ２０ないしＲ／Ｗユニット４２を装着したまま改造する不正行為等についても、的確に監視することができる。
【０１１８】
加えて、以上の管理システムでは、特に遊技者カード用タグ５０ａと遊技者カード用アンテナ５５ａによる非接触通信によって遊技者カード６ａに対し遊技情報１０４を入出力するため、カードホルダ７に遊技者カード６ａを（斜行状態を含む起立状態で）入れるだけで遊技情報１０４をやり取りすることができ、取扱性に優れる。
【０１１９】
また、以上の管理システムないし店員カード６ｂでは、特に店員カード用タグ５０ｂと店員カード用アンテナ５５ｂによる非接触通信によって、カードホルダ７に容易に投入できる店員カード６ｂに基づき不正行為に関する報知を停止するため、正規メンテナンスを不正行為として報知する事態を簡単に防止することができる。
【０１２０】
そして、以上の管理システムでは、特にＲ／Ｗユニット４２によって監視と遊技者カード入出力と店員カードの処理を行っており、効率良く複数の重要機能を提供することができる。
【０１２１】
なお、本発明の管理ユニットは、監視用タグ２０および監視用アンテナ３２を監視対象またはその近傍（相対移動する部材）に設置し、カードホルダ７をパチンコ機１正面側に設置し、Ｒ／Ｗユニット４２をパチンコ機１の裏側に搭載し、遊技者カード６ａないし店員カード６ｂを発行すれば設置できるため、パチンコ機１の製造元や種類によらず設置可能であるし、後付ないし組込も容易である。
【０１２２】
更に、監視用アンテナ３２は透明板２の間に設置されており、不用意に引離される等して、監視用通信が不成立となる事態を防止するよう配慮されている。加えて、監視用アンテナ３２が、吸盤３４によって吸着されるため、設置し易く、位置調整し易い。更に、監視用タグ２０や監視用アンテナ３２等について正面の遊技者の直視を遮る装飾帯１９が設けられているため、監視用タグ２０や監視用アンテナ３２等を設置しても、遊技盤２のデザインを乱さないし、その存在を一般の遊技者が気にしなくて済む。
【０１２３】
また、以上の管理システムでは、遊技者カード用アンテナ５５ａと店員カード用アンテナ５５ｂとを備えているので、それぞれのカードの投入口を分けて分り易くすることができるし、カードとアンテナとを対応させ、通信等の処理を専用化し、負荷を軽減することができる。更に、これらアンテナをカードホルダ７に一体的に備えているので、配線や設置が容易であるし、遊技者および店員の双方にとってカード投入口が分り易い。また更に、遊技者カード用アンテナ５５ａと店員カード用アンテナ５５ｂとが、平行でない状態で、カードホルダ７に設置されているため、各無線通信が（指向性を有する場合は特に）混信し辛く、各無線通信のエラーを防止することができる。なお、パチンコ機１のように、各アンテナが（ほぼ）垂直になるほど、混信の可能性は低減され、エラー防止効果が発揮される。
【０１２４】
更に、以上の管理システムでは、遊技情報１０４として、パチンコ機１の識別記号１４９を必須とし、これと同一ブロックで図柄変動回数１０２、大当り回数１０３、確率変動回数１１６、または遊技時間１５２を含むようにしたので、遊技者が関心を持つ有用な情報を整理された構成で扱うことができる。
【０１２５】
また更に、以上の管理システムでは、遊技者に関する情報である遊技者情報１４８ａを格納可能であるため、遊技者情報１４８を遊技情報１０４の分析に役立てることができ、より有用な情報を提供することができるし、遊技者カード６ａを真の遊技者に対応させることができ、更に取扱い易くすることができる。
【０１２６】
加えて、以上の管理システムでは、遊技者情報１４８を、遊技者の年齢、または遊技者の性別としたので、年齢別ないし性別毎の傾向を把握することができ、有用な情報を提供することができ、真の遊技者に対応させ易くなる。
【０１２７】
なお、以上の管理システムにおいて、遊技者カード用通信が正規のもの（成立すべきもの）か否かを確認するための通信用のＩＤ７７ａと遊技者ＩＤとを対応付けたＩＤテーブル１４９ａを記憶するホールコン１００を備えており（ホールコン１００と接続されており）、遊技者カード６ａは遊技者ＩＤと通信用のＩＤ６５ａを保持しており、Ｒ／Ｗユニット４２は、遊技者カード用通信により遊技者カード６ａから遊技者ＩＤと通信用のＩＤ６５ａを抽出すると、遊技者ＩＤをホールコン１００に通知してＩＤ７７ａを取得するとともに、ＩＤ６５ａ，７７ａを比較して一致した場合に遊技者カード用通信が成立したものとするため、偽造された遊技者カードを受付けない等、更に遊技者情報１４８ａに関する安全性が向上し、しかも、遊技者カード６ａの数が増えても、Ｒ／Ｗユニット４２のＥＥＰＲＯＭ７８等の容量を気にする必要がなく、Ｒ／Ｗユニット４２の簡素化ないし動作の安定化に貢献するし、遊技者カード６ａの追加対応等のメンテナンスも容易であるし、より多数の遊技者カード６ａに簡単に対応することができる。
【０１２８】
この効果は、店員カードないし店員カード用通信等においても同様に得られる。また、遊技者カードと店員カードの双方においてＩＤテーブル方式を採用しているため、店員や遊技者の多い大規模遊技店等においても円滑に、遊技に関する店員の作業履歴情報、あるいは不正行為に関する情報といった有用情報を、全て安全性の高い状態で、連関して提供することができる。
【０１２９】
また、以上の管理システムにおいて、Ｒ／Ｗユニット４２は、店員カード用通信が成立すると作業履歴１６０を保存するため、作業履歴１６０を自動的に収集し、管理に供することができ、その作業履歴とパチンコ機１から得られる払出数等の遊技情報とを比較して作業を分析したり、店員による不正行為を追求可能として未然に防止したりすることができる。更に、作業履歴１６０を保存するためのホールコン１００を備えており（ホールコン１００と接続されており）、Ｒ／Ｗユニット４２は作業履歴１６０をホールコン１００に送信するため、多数のパチンコ機１についての作業履歴１６０を効率良く管理することができ、容易に広範な作業状況の把握ないし不正行為の防止を図ることができる。
【０１３０】
（７）主に上記実施形態を変更して成る本発明の別実施形態の例示
最後に、主に上記実施形態を変更して成る、本発明の他の実施形態を、それぞれ例示する。図９に示すように、パチンコ機１における遊技盤１１（前枠３）を搭載したミドル枠２００と、ミドル枠２００を開閉可能に支持する（ミドル枠２００外周の）機枠２０２とに、タグ２０４またはアンテナ２０６を設ける。これにより、ミドル枠２００の開閉に係る作業履歴や不正行為を管理することができる。また、店員カード用アンテナ２０８を、前枠３の内側上部に設置する。これにより、外観を維持しながら、作業履歴管理や監視に係る報知等停止を実行することができる。また、店員カードを表側にかざすように接近させて認証（店員カード用通信の成立）を完了するようにでき、アームやベースを省く等店員カードを保持しないようにもできる。更に、店員のみ店員カード用アンテナ２０８を知っているようにすることもでき、不正取得された店員カード６ｂを悪用される事態を防止して安全性を一層向上することもできる。
【０１３１】
加えて、前枠３裏側と遊技盤１１側（ミドル枠２００側）とに、タグ２１０またはアンテナ２１２を設ける。これにより、大入賞装置の開閉扉の監視と別個独立に前枠３の開閉を監視することができ、不正行為箇所の特定や店員作業の管理等を一層きめ細かく行える。
【０１３２】
なお、ミドル枠側と前枠側とにタグおよびアンテナを設ける等、複数の監視部分が存在する場合、Ｒ／Ｗユニットは、報知等停止や作業履歴保存を一部において行ったり、監視用通信の不成立部分を判断して、作業履歴に不成立部分に関する情報（不成立部分はミドル枠である等）を含めたり、不成立部分によって処理を変えたりして良い。
【０１３３】
また、Ｒ／Ｗユニットは、店員カード用通信が成立している間、または成立後一定の期間において、監視用通信自体を停止するようにする。これによっても、店員作業中に不正行為出現の旨を報知したり記録に残したりすることがなくなり、不正行為を的確に監視しながらメンテナンスを容易にすることができる。あるいは、店員作業信号を省略する。
【０１３４】
一方、ＩＤテーブルを有するコンピュータにつき独立のものとしたり、作業履歴を記憶するコンピュータにつき独立のものとしたり、ＩＤテーブルおよび作業履歴を保有するコンピュータを設けたりする。あるいは、タグまたはアンテナの双方につき、大入賞装置に設ける。
【０１３５】
また、ＩＤテーブルないし作業履歴を、Ｒ／Ｗユニットが保持する。このとき、ＩＤテーブルないし作業履歴はコンピュータネットワークを経由しないので、ＩＤや作業履歴に関する処理が短縮され、店員カード用通信に関する認証や作業履歴の参照を一層即時に行うことができる。
【０１３６】
通信用のＩＤは、一致を通信成立の要件とせず、双方のＩＤの連結を入力としたハッシュ値が所定のものとなる等一定の関係を有すれば良いこととする。あるいは、少なくとも一方の通信用ＩＤにつき、所定のもの（一種類ないし数種類）しか用いないようにする。また、ＩＤテーブルやこれを保持するホールコンの一部（ＩＤコンピュータ）を省略したり、作業履歴の取得、保存、これらに関するホールコンの一部（作業履歴コンピュータ）を省略したりする。
【０１３７】
ＩＣタグ以外のタグを用いたり、タグやアンテナにおける送受信回路のパターンを変えたり、Ｒ／Ｗユニットが直接各アンテナを制御するようにしたり、アンテナにＲＦ回路等を組込んだり、ＲＦＩＤ通信の各周波数や各指向性の強弱を増減したり、監視用通信と各カード用通信とで周波数等を相違させたり、これら通信毎に共通のＣＰＵに対する別々のＲＦ回路を設けたり、同様に別々のＣＰＵを設けたり、装飾帯を省略したり、Ｒ／Ｗユニットやカードホルダを島設備側に配置したり、Ｒ／Ｗユニットをカードホルダに内蔵したりする等、適宜各種部材の形状、数量、材質、電気的構成、設定条件、取付態様等を変更する。
【０１３８】
また、遊技者情報を省略したり、遊技情報や遊技者情報の一部を省略したり、別種の遊技情報や遊技者情報、店員情報（店員の氏名、性別等）を追加したり、作業履歴に係る時刻をホールコン受信時としたり、作業履歴にパチンコ機の識別記号を含めたり、遊技者カード用反射波に所定の遊技情報を含めたり、所定態様（例えば各カード用通信の数十往復に１回）で遊技者カード内の遊技者情報や遊技情報あるいは店員カード内の店員情報をカード用反射波に含めたり、遊技者情報や遊技情報、店員情報の一部または全部をホールコンに出力しないようにしたり、少なくとも一つのＲＦ通信を赤外線通信としたり、遊技情報をパルス信号以外から取得したり、Ｒ／Ｗユニットとホールコンはそれぞれ異なる形式、種類ないし経路において遊技情報を得たり、遊技者カードにおいて通信間隔と遊技情報の入出力タイミングとを合致させたり、遊技情報の入力と出力のタイミングをずらしたり、遊技情報の種類に応じて入出力タイミングを変えたりする等、適宜各種処理ないし情報の内容、通信形式、タイミング等を変更する。
【０１３９】
店員カード用通信の処理に関し、この通信が成立している間のみにおいて監視用通信が不成立である旨を報知等しないようにする。また、この通信につき所定態様における成立（例えば２回以上の成立、あるいは１秒間の成立）がなされたことをもって、その後所定時間不成立の旨を報知せず、あるいはその後の店員カード用通信の成立期間のみ不成立の旨を報知しないようにする。加えて、所定時間を３０秒間等と長くしたり、１秒間以下等に短くしたりする。または、店員カード用通信が一旦成立した後は、監視用通信が再び成立した後に不成立となるまで報知等を停止する。
【０１４０】
あるいは、店員カード用通信と関係なく、監視用通信が一旦不成立となると、再び成立し、更に不成立になるまで報知をしないようにする。また、各種通信ないし報知等の開始あるいは停止を、透明板を有する前枠の開閉に連動させ、例えば前枠の係止機構にスイッチを設け、店員カード用通信が成立することで報知等を停止し、前枠が閉じられてスイッチが切り替ると監視用通信を再開する。
【０１４１】
Ｒ／Ｗユニットによる遊技情報の取得につき、パチンコ機側（主制御装置や情報出力基板等）において遊技球センサの検出信号をカウントし、カウント値（遊技情報）そのものを受信するようにする。また、パチンコ機において遊技情報を記憶し、所定態様（例えば３０秒毎あるいは１０カウント毎）に遊技情報を受信するようにする。更にこれらの場合に、遊技情報の発信をもってパチンコ機側の遊技情報を抹消するようにする。また、パチンコ機の識別記号につき、例えばパチンコ機のシリアルナンバー、Ｒ／Ｗユニットのシリアルナンバー、またはこれらの組合わせを、Ｒ／Ｗユニットがパチンコ機から受信したり、当初にＲ／Ｗユニットに記憶させたりする。
【０１４２】
Ｒ／Ｗユニットにおいて、主制御装置の開成信号等を受信せず、監視用通信不成立時には常に警戒信号を送信するようにする。また、警戒信号や店員作業信号を受信したホールコンが、遊技店の監視カメラを作動させたり、遊技店員呼出装置を作動させたりする。この場合、不正行為に対して迅速な対応をすることができる。
【０１４３】
更に、警戒信号や店員作業信号をパチンコ機に送信するようにし、これら（の何れか）を受信したパチンコ機が、電飾手段（ランプ）によって報知（専用の電飾手段を設けたり、既存の電飾手段を所定態様で点灯させたりする等）したり、発音手段（スピーカ）によって報知（所定態様で発音する等）したりするようにする。ここで、受信した信号が警戒信号であるか店員作業信号であるかによって、報知態様を変化させることができる。これらによれば、不正行為がなされた蓋然性の高い場合に（発生場所がどこであるか等）即座に分り易く示すことができる。なお、管理システムや島設備にランプやスピーカを搭載することもできる。
【０１４４】
監視用呼出波が異常に関する情報（エラー情報）を（異常発生時において）含むようにし、監視用タグにおいてこれを受信しタグ内のＥＥＰＲＯＭに記憶するようにする。あるいは監視用通信がエラー情報を（異常発生時において）含むようにし、これを受信側で記憶するようにする。エラー情報をチェックすると、不正行為に関する情報の種類や量が増え、一層的確に不正行為を監視することができる。また同様に各カード用通信においてもエラー情報の記憶等をし、遊技情報や店員情報等の入出力状況を的確に把握可能にすることもできる。
【０１４５】
各非接触通信の少なくとも一つにおいて、ＩＤを含まず、互いに受信があったことのみをもって送信をするようにする。またはアンテナからの呼出波においてＩＤを含むようにし、ＩＣタグ側でＩＤをチェックするか、双方にＩＤを含ませてこれをチェックするようにする。ＩＤにつきワンタイムパスワードを用いて暗号化し、受信側で復号してチェックする。あるいは送信に公開鍵を含ませ、受信側に当該公開鍵に対応する秘密鍵を保有させ、これらの鍵の対応をもって通信をチェックする。
【０１４６】
各非接触通信の少なくとも一つについて、ＩＤが相違する場合にすぐに停止したり、ＩＤが所定回相違すると通信不成立であると判断したりする。監視用通信につき、ＩＤが相違する期間だけ警戒信号を送信するかその旨表示したり、特定のＩＤ相違による通信不成立時のみ警戒信号を送信したりする。遊技者カード用通信について、遊技者カード用タグにおいてＩＤが相違すると判定した場合に、遊技情報や遊技者情報を記憶しないようにする。また、各カード用通信の不成立時やＩＤ相違時にホールコンにその旨を示す信号を送信し、ホールコンにおいて表示等の処理をしたりする。
【０１４７】
相対移動する部材を主制御装置のカバーとし、カバーが主制御装置の基板（ＲＯＭ等を搭載する）を（アクセス不能に）覆う場合の基板（内容物）とカバーの相対位置、あるいは第１カバー部材と第２カバー部材の相対位置を所定相対位置とする。このようにすれば、ＲＯＭ不正交換を始めとする主制御装置の不正アクセスの発見あるいは抑止が可能となる。また、相対移動する部材や遊技情報を、スロットマシーンを始めとする他の遊技機に係るものにする。加えて、特に保護物を設けず、位置をずらすことを不正行為とみなして相対移動する部材を監視することもできる。
【０１４８】
一方、制御素子（基板）を固定するためのベース部材と、当該ベース部材に固定された制御素子を外部から遮断（閉塞）するカバー部材とからケースを構成し、ベース部材もしくはカバー部材に、監視用タグもしくは監視用アンテナを設ける。他方、監視用タグと監視用アンテナの設置箇所を入替えたものとする。
【０１４９】
遊技者カードや店員カードにつき、遊技店以外の別業者が発行するようにする。遊技者カードに、交換前に計数した遊技球数等を更に格納する。カードホルダのカード投入口を、上方や正面側の開放したボックス形とする。カードホルダにおいて各カードをどのような向きにおいても各カード用通信が成立し易いようにするため、各カード用ＩＣタグを、各カードのほぼ中央に配置する（カードホルダにおける対応位置に各カード用アンテナを配置する）。
【０１５０】
更に、店員カードの投入口に遊技者カードを投入しても遊技者カード用通信が成立するようにする。即ち、店員カード用アンテナを、遊技者カード用通信にも対応可能にする。また、この逆の処置のみをしたり、双方の処置をしたり（各カードに対応するカード用アンテナが複数設置される）する。これらによれば、各カードを更に簡便に用いてもらえる。
【０１５１】
また、遊技者カード用アンテナと店員カード用アンテナを、共通のカード用アンテナとする。この場合、遊技者カード用通信と店員カード用通信とを、周波数やＩＤ等によって区別可能にする。各カード用通信は無線通信なので、一方のカードに他方のカードを重ねた状態でも（何れかのカードを通過するか回り込むかして）成立する。よってアンテナを一つにしたり、カード投入口を一つにしたりする等、物理的構成をシンプルないしコンパクトにすることができる。なお、カードを重ねる場合、各アンテナを独立に設け、前後に（ほぼ平行に）配することもできる。あるいは、各アンテナを、通信が干渉しない範囲において、直交しない任意の角度だけ離れたものとする。
【０１５２】
一方、店員カード用呼出波に、カード投入時刻（反射波受信時刻、反射信号記憶時刻等）や、Ｒ／Ｗユニットが受取った店員情報、カード投入時間（店員カード用通信成立時間）等を載せ、店員カードにおいてこれら（の何れか）を記憶する。
【図面の簡単な説明】
【０１５３】
【図１】本発明に係る管理システムを搭載したパチンコ機の正面図である。
【図２】図１におけるパチンコ機の中央部拡大図である。
【図３】（ａ）図２におけるＡ−Ａ線の断面図である。（ｂ）図３（ａ）において大入賞装置の開閉扉を開成した場合の図である。
【図４】図１におけるパチンコ機の背面図である。
【図５】図１における管理システムに係るカードホルダ周辺の斜視図である。
【図６】図１における管理システムに係るＩＣタグの正面図である。
【図７】図１における管理システムに係るアンテナの正面図である。
【図８】図１における管理システムに係る内部構成の一部を示すブロック図である。
【図９】本発明の変更例に係る管理システムを搭載したパチンコ機の開扉斜視図である。
【符号の説明】
【０１５４】
１    （パチンコ機管理システムを搭載した）パチンコ機
６ａ  遊技者カード
６ｂ  店員カード
７    カードホルダ
１２    開閉扉
２０    監視用タグ
３２    監視用アンテナ
４２    Ｒ／Ｗユニット（管理手段）
５０ａ  遊技者カード用タグ
５０ｂ  店員カード用タグ
５５ａ  遊技者カード用アンテナ
５５ｂ  店員カード用アンテナ
１００    ホールコン
１０２    図柄変動回数（遊技情報）
１０３    大当り回数（遊技情報）
１０４    遊技情報
１１６    確率変動回数（遊技情報）
１２２    監視用呼出波（監視用通信）
１２４    監視用反射波（監視用通信）
１３０    警戒信号
１３１    店員作業信号
１４２ａ  遊技者カード用呼出波（遊技者カード用通信）
１４２ｂ  店員カード用呼出波（店員カード用通信）
１４４ａ  遊技者カード用反射波（遊技者カード用通信）
１４４ｂ  店員カード用反射波（店員カード用通信）
１４８ａ  遊技者情報
１４８ｂ  店員情報
１４９    識別記号（遊技情報）
１５２    遊技時間（遊技情報）
【図１】
2005137517.tif 000003
【図２】
2005137517.tif 000004
【図３】
2005137517.tif 000005
【図４】
2005137517.tif 000006
【図５】
2005137517.tif 000007
【図６】
2005137517.tif 000008
【図７】
2005137517.tif 000009
【図８】
2005137517.tif 000010
【図９】
2005137517.tif 000011